(57)【特許請求の範囲】
【請求項１】
天板と、該天板を支持する脚体と、を備え、前記脚体の前後いずれか一方の端部に左右方向を向く枢軸が設けられ、該枢軸に前記天板の一端側を枢着し、該天板が略水平をなす使用位置と該天板が上方に回動された不使用位置との間で回動可能とした天板付き家具において、
前記枢軸よりも下方位置で前記脚体に枢着されて前後方向に延びる第１リンク部材の遊端部と、前記天板の他端側に枢着されて上下方向に延びる第２リンク部材の遊端部と、が互いに枢着されており、前記天板が不使用位置にあるときに、前記第１リンク部材と前記脚体との枢着点と、前記第２リンク部材と前記天板との枢着点と、を結ぶ仮想線よりも、前記第１リンク部材と前記第２リンク部材との枢着点が上方位置になることを特徴とする天板付き家具。
【請求項２】
前記枢軸は、前記脚体の後部に設けられることを特徴とする請求項１に記載の天板付き家具。
【請求項３】
前記第２リンク部材は、前方側に膨出するように屈曲されており、前記天板が不使用位置にあるときに、前記第２リンク部材と前記天板との間に隙間部が形成されることを特徴とする請求項１または２に記載の天板付き家具。
【請求項４】
前記第１リンク部材は、前記脚体に枢着された左右広幅の棚板となっており、左右一対をなす前記第２リンク部材を、前記棚板の左右にそれぞれ枢着したことを特徴とする請求項１ないし３のいずれかに記載の天板付き家具。
【請求項５】
前記天板を不使用位置に向かって付勢する付勢手段が設けられることを特徴とする請求項１ないし４のいずれかに記載の天板付き家具。
【請求項６】
前記第１リンク部材の遊端部には、該遊端部を下方に引くための把持部が設けられることを特徴とする請求項１ないし５のいずれかに記載の天板付き家具。
【発明の詳細な説明】
【技術分野】
【０００１】
本発明は、前後方向にスタッキングが可能な机等の天板付き家具に関する。
【背景技術】
【０００２】
従来、前後方向にスタッキングが可能な机（天板付き家具）として、左右の脚部（脚体）の上端に設けられた支持杆（枢軸）に、天板の後部が上下回動可能に枢着され、天板の下面に前後方向に取り付けられた案内部材のガイド溝を、脚部の天板枢着部よりも下方位置で回動可能に設けられたステーの先端部が移動されるようになっているものがあり、ステーがガイド溝の前方係合部に係合すると、天板が水平状態（使用位置）に保持されるとともに、天板の前部が跳ね上げられた立起状態（不使用位置）では、ステーがガイド溝を移動して後方係合部に係合し、天板が保持されるようになっている（例えば、特許文献２参照）。
【先行技術文献】
【特許文献】
【０００３】
【特許文献１】特許第３５９１４５２号公報（第３頁、第２図）
【発明の概要】
【発明が解決しようとする課題】
【０００４】
しかしながら、特許文献１に記載の水平スタッキングテーブル（天板付き家具）にあっては、天板を水平状態（使用位置）から立起状態（不使用位置）にする際に、ステーの先端部が前方係合部から後方係合部に摺動するとともに、天板を立起状態から水平状態にする際に、ステーの先端部が後方係合部から前方係合部に摺動するようになっているため、この机を長期間使用した場合に、ステーの摺動により前方及び後方係合部が磨耗してしまう虞があり、ステーの先端部が後方係合部に係合し難くなるばかりか、天板が立起状態でステーの先端部が後方係合部から不用意に外れてしまう虞がある。
【０００５】
本発明は、このような問題点に着目してなされたもので、天板が使用位置と不使用位置との間で回動可能となっている天板付き家具において、天板を不使用位置に保持する機能の耐久性を向上できる天板付き家具を提供することを目的とする。
【課題を解決するための手段】
【０００６】
前記課題を解決するために、本発明の天板付き家具は、
天板と、該天板を支持する脚体と、を備え、前記脚体の前後いずれか一方の端部に左右方向を向く枢軸が設けられ、該枢軸に前記天板の一端側を枢着し、該天板が略水平をなす使用位置と該天板が上方に回動された不使用位置との間で回動可能とした天板付き家具において、
前記枢軸よりも下方位置で前記脚体に枢着されて前後方向に延びる第１リンク部材の遊端部と、前記天板の他端側に枢着されて上下方向に延びる第２リンク部材の遊端部と、が互いに枢着されており、前記天板が不使用位置にあるときに、前記第１リンク部材と前記脚体との枢着点と、前記第２リンク部材と前記天板との枢着点と、を結ぶ仮想線よりも、前記第１リンク部材と前記第２リンク部材との枢着点が上方位置になることを特徴としている。
この特徴によれば、天板と脚体と第１リンク部材と第２リンク部材とによって４つの枢着点を有する四節リンクが構成され、天板が不使用位置にあるときに、第１リンク部材と第２リンク部材との枢着点が仮想線よりも上方位置になると、４つの枢着点の相対的な位置関係が安定的に固定されるため、このような簡素な構成により、天板を不使用位置に保持する機能を容易に実現でき、かつ天板を使用位置と不使用位置との間で回動させる際に、可動される部位が枢着点における部材同士の回動のみとなり、天板を不使用位置に保持する機能の耐久性を向上できる。
【０００７】
本発明の天板付き家具は、
前記枢軸は、前記脚体の後部に設けられることを特徴としている。
この特徴によれば、天板を不使用位置にする際に、天板の前端部が押し上げられるよう回動されるため、天板付き家具の前方側にいる使用者は、天板付き家具の前方側で第１リンク部材及び第２リンク部材を目視しながら天板の回動操作を行うことができ、家具の前方側で天板の回動作業を行い易くなる。
【０００８】
本発明の天板付き家具は、
前記第２リンク部材は、前方側に膨出するように屈曲されており、前記天板が不使用位置にあるときに、前記第２リンク部材と前記天板との間に隙間部が形成されることを特徴としている。
この特徴によれば、使用者が天板の端縁に手を掛けて天板を使用位置から不使用位置に回動させる際に、天板と第２リンク部材との間に手を挟むことを防止できる。
【０００９】
本発明の天板付き家具は、
前記第１リンク部材は、前記脚体に枢着された左右広幅の棚板となっており、左右一対をなす前記第２リンク部材を、前記棚板の左右にそれぞれ枢着したことを特徴としている。
この特徴によれば、棚板を第１リンク部材として兼用することにより、部材点数を低減させることができ、かつ左右一対の第２リンク部材の回動の同期が図られるようになり、第２リンク部材が枢着される第１リンク部材（棚板）及び天板の回動がスムーズに行われるようになる。
【００１０】
本発明の天板付き家具は、
前記天板を不使用位置に向かって付勢する付勢手段が設けられることを特徴としている。
この特徴によれば、使用者が使用位置から不使用位置に天板を回動させる際に、天板を持ち上げ易くなめ、使用者の負荷を少なくすることができる。
【００１１】
本発明の天板付き家具は、
前記第１リンク部材の遊端部には、該遊端部を下方に引くための把持部が設けられることを特徴としている。
この特徴によれば、天板が不使用位置にあるときに、使用者は把持部を操作して遊端部を下方に引くことで、仮想線の上方位置にある第１リンク部材と第２リンク部材との枢着点を引き下げることができ、天板を不使用位置から使用位置に回動させる操作を容易に行うことができる。
【図面の簡単な説明】
【００１２】
【図１】実施例１における机を示す背面図である。
【図２】机を示す側面図である。
【図３】机の内部構造を示す平面図である。
【図４】天板が使用位置にあるときの机を示す正面図である。
【図５】天板が不使用位置にあるときの机を示す正面図である。
【図６】天板が使用位置にあるときの机を示す縦断側面図である。
【図７】天板の回動中の机を示す縦断側面図である。
【図８】枢着軸が仮想線上にあるときの机を示す縦断側面図である。
【図９】天板が不使用位置にあるときの机を示す縦断側面図である。
【図１０】枢支部材を示す斜視図である。
【図１１】ロック部材を示す斜視図である。
【図１２】ロック部材が脚体に係合された係合状態を示す図３におけるＡ−Ａ断面図である。
【図１３】ロック部材が脚体から外れた非係合状態を示す断面図である。
【図１４】実施例２におけるロック部材が脚体に係合された係合状態を示す断面図である。
【図１５】実施例３における係合部材が脚体に係合された係合状態を示す断面図である。
【発明を実施するための形態】
【００１３】
本発明に係る天板付き家具を実施するための形態を実施例に基づいて以下に説明する。
【実施例１】
【００１４】
実施例１に係る天板付き家具としての机につき、図１から図１３を参照して説明する。以下、図２及び図６から図９の紙面右側を机の正面側（前方側）とし、図３の紙面下側を机の正面側（前方側）として説明する。
【００１５】
図１の符号１は、本発明の適用された天板付き家具としての机であり、学校の教室等で使用され、掃除の際などに、天板２を回動させて起立させることができる。そして、複数の机１を前後方向に重ねることにより、室内のスペースを有効に活用できるようになっている。机１には、左右一対の脚体３，３が設けられ、脚体３の上方には、略四角形状をなす天板２が設けられている。
【００１６】
図２に示すように、パイプフレームで構成される脚体３は、側面視で矩形状に形成されており、垂直方向に延びる本発明における脚柱としての前脚４と後脚５と、前後方向に延びる脚体上端部６（水平杆）及び脚体下端部７からなる。左右の脚体３，３は、後方側よりも前方側の左右幅がひろがるように、平面視でハの字状に形成されている（図３参照）。尚、天板２の左右寸法は、脚体３の左右の最大寸法よりも若干大とされている。
【００１７】
左右の脚体上端部６，６の下方には、側板８及びフック９が設けられており、フック９は、側板８の下端部から外向きに突設され、フック９の下端は側板８に固着されている。机１の使用者は、このフック９に荷物等を掛けられるようになっている。また、脚体上端部６の前方上部には、脚体上端部６の径より若干小さい左右幅を有する固定板１０が固着されている（図５参照）。
【００１８】
図２及び図３に示すように、左右の脚体上端部６の後部には、左右内向きに枢着軸１１を有する天板支持部材１２が取り付けられており、枢着軸１１を枢軸として、天板２の後端部の下面に取り付けられた天板枢支部材１３が枢着されている。この天板枢支部材１３により、天板２は、回動可能となっており、後上方に向かって持ち上げることができる。
【００１９】
天板２の下面の前端部には、後述する左右一対のリンクバー枢支部材１４（位置固定手段，支持部材）及びロック部材１５（位置固定手段，係合部材）が取り付けられており、ロック部材１５が脚体上端部６に係合することで、天板２が水平状態となる使用位置で回動不能に保持されるようになっている（図４参照）。尚、本実施例では、天板２が回動されて起立した状態となる位置を不使用位置とする（図５参照）。更に尚、天板２が不使用位置にあるときの傾斜角は任意であり、例えば、天板２が脚体３から離れて少しでも傾いている状態の傾斜角も含むし、天板２が垂直に近い状態の傾斜角も含む。
【００２０】
尚、天板枢支部材１３は、天板２の下面の後端部に限らず、天板２の下面の後端寄りの部位に取り付けられていればよい。また、リンクバー枢支部材１４は、天板２の下面の前端部に限らず、天板２の下面の前端寄りの部位に取り付けられていればよい。
【００２１】
図２に示すように、天板２の下方には、物品を収納できる左右広幅の棚板１６が設けられている。棚板１６は、本発明における第１リンク部材となっており、棚板１６の前端部１７は、下方に向かって曲折する形状をなし、本発明における把持部となっている（図３，図６参照）。
【００２２】
棚板１６は、後脚５の上部に設けられた、左右内向きに枢着軸１８を有する棚板支持部材１９によって支持され、この枢着軸１８を枢軸として、棚板１６の後端部が枢着されている。これにより棚板１６は、回動可能となっており、天板２とともに後上方に向かって持ち上げることができる。
【００２３】
尚、枢着軸１１には、天板２を後上方、即ち不使用位置に向かって回動付勢するバネ等で構成された付勢部材２０（付勢手段）が設けられているとともに、枢着軸１８にも、棚板１６が後上方に向かって回動付勢するバネ等で構成された付勢部材２１が設けられている。
【００２４】
図３に示すように、棚板１６の前端部１７（遊端部）とリンクバー枢支部材１４は、平面視で略Ｚ字状をなす本発明における第２リンク部材としてのリンクバー２２を介して連結されている。リンクバー２２は、内方を向く内側の枢着軸２３を枢軸として、棚板１６の前端部１７に枢着され、外方を向く外側の枢着軸２４を枢軸として、リンクバー枢支部材１４に枢着されている。
【００２５】
尚、枢着軸１１，１８，２３，２４を角部とする平行四節リンクが構成される（図６参照）。更に尚、リンクバー２２の中央部２５は、側面視で前方側に膨出するように一部が屈曲されている（図６参照）。
【００２６】
リンクバー２２における外側の枢着軸２４は、リンクバー枢支部材１４に対して回動可能となっており、リンクバー２２における内側の枢着軸２３及び棚板１６の前端部１７は、互いに回動可能となっている。また、天板２が使用位置にある場合には、リンクバー２２によって棚板１６の水平状態が保たれている（図２参照）。
【００２７】
尚、机１の後方側には、左右の後脚５，５の間に幕板２６が取り付けられている。また、この幕板２６と左右の側板８によって、棚板１６の取付部が後方側から見え難くなっているとともに、棚板１６に載置した物品等が後方側から落下し難くなっている（図１参照）。
【００２８】
次に、リンクバー枢支部材１４とロック部材１５について説明する。リンクバー枢支部材１４は金属等の材質により形成されるとともに、ロック部材１５は弾性を有する合成樹脂等の材質により形成されている。尚、左右のロック部材１５は同一形状をなしており、左右のリンクバー枢支部材１４は左右対称であるため、左側のリンクバー枢支部材１４について説明し、右側のリンクバー枢支部材１４については省略する。
【００２９】
図３に示すように、リンクバー枢支部材１４は、平面視において内側の部位が外側の部位よりも前後幅が大きく形成されて略Ｌ字状をなしている。リンクバー枢支部材１４の内側の部位には、ネジ孔２７が前後に２つ形成され、左部には、ネジ孔２７が１つ形成されており、これらのネジ孔２７に下方からネジ２８が挿通され、天板２の下面に固定されている。
【００３０】
図１０に示すように、リンクバー枢支部材１４の外側の部位の下面には、底面視で矩形状をなす嵌合部２９と、その嵌合部２９の前後縁部に形成されて湾曲された湾曲部４８が形成されている。湾曲部４８は脚体上端部６の上面の形状と合うようになっている。
【００３１】
また、リンクバー枢支部材１４の外側の部位の前面と後面には、挿通孔３０が形成されており、リンクバー枢支部材１４の側部には、前後方向に延びる本発明における保持手段及び保持部としての突起部３１が形成されている。リンクバー枢支部材１４の右部には、リンクバー２２における外側の枢着軸２４が挿入される係合孔３２が形成されている。
【００３２】
図１１に示すように、ロック部材１５は、上下方向の基片３３と、基片３３の上部両端に設けられた内向きの枢支片３４，３４と、基片３３の内側に設けられた係合片３５と、を有している。尚、係合片３５は、脚体上端部６の下面の形状と合うように湾曲された形状をなし、脚体上端部６と係合する係合面３６となっている。
【００３３】
また、基片３３の内側上部には、リンクバー枢支部材１４の突起部３１が係合する被係合部３７（被保持部）が形成されており、枢支片３４には、後述する枢支ボルト３８が挿通される挿通孔３９がそれぞれ形成されている。
【００３４】
図１０に示すリンクバー枢支部材１４と、図１１に示すロック部材１５と、を組み合わせて、リンクバー枢支部材１４の挿通孔３０と、ロック部材１５の挿通孔３９とを合わせて、その外側から枢支ボルト３８，３８を挿通し、リンクバー枢支部材１４とロック部材１５とを枢着させる（図２，図３参照）。
【００３５】
図１２に示すように、天板２が使用位置にある場合には、脚体上端部６に固着された固定板１０がリンクバー枢支部材１４の嵌合部２９と係合し、天板２が水平方向にがたつかないようになっている。更に、リンクバー枢支部材１４に枢着されたロック部材１５の係合面３６と脚体上端部６の下面とが係合されて係合状態となるとともに、係合片３５は側板８に形成されたスリット孔４０に挿通され、天板２が使用位置において回動不能に保持されている。
【００３６】
次に、天板２が使用位置から不使用位置に回動される動作について、図６から図９を参照して説明する。図６は、図４の縦断左側面図であり、図９は、図５の縦断左側面図となっている。
【００３７】
図６において、天板２は使用位置にあり、棚板１６とともに水平に保持されている。使用者がロック部材１５の基片３３の下端部を外方向に引き上げると、係合片３５がスリット孔４０から抜けて非係合状態となるとともに、基片３３の上端部がリンクバー枢支部材１４の突起部３１を乗り越え、ロック部材１５の被係合部３７が突起部３１に係合する（図１３参照）。
【００３８】
天板２と脚体３とのロックが解除され、天板２は回動可能な状態となる。また、ロック部材１５の被係合部３７がリンクバー枢支部材１４の突起部３１に係合しているため、ロック部材１５が上方に引き上げられたまま保持され、使用者がロック部材１５から手を離しても、ロック部材１５が下方に戻って回動操作を妨げることがなく、回動操作し易くなっている。
【００３９】
そして、図７に示すように、天板２が後上方に押し上げられると、リンクバー２２によって連結されている棚板１６が天板２とともに後上方に回動する。尚、付勢部材２０，２１が設けられているため、天板２及び棚板１６の荷重による使用者の負荷が軽減されるようになっている。
【００４０】
また、天板２が不使用位置に移動されるまでの途中の揺動状態では、棚板１６が後脚５に枢着される枢着軸１８（枢着点）と、リンクバー２２における外側の枢着軸２４がリンクバー枢支部材１４に枢着される枢着軸２４（枢着点）を結ぶ仮想線Ｖよりも、棚板１６に枢着されたリンクバー２２における内側の枢着軸２３が下方に位置している。
【００４１】
図８に示すように、更に天板２が後上方に押し上げられると、仮想線Ｖに枢着軸２３が配置される。天板２と脚体３と棚板１６とリンクバー２２とにより、枢着軸１１，１８，２３，２４を角部とする非平行四節リンクが構成され、枢着軸２３が仮想線Ｖに配置された状態が非平行四節リンクの死点となっている。
【００４２】
そして、天板２が不使用位置になると、図９に示すように、この仮想線Ｖよりも、枢着軸２３が上方位置に移動される。この不使用位置において、天板２の上方から荷重が加えられた場合には、枢着軸２３は天板２側に向かって移動される力が働くため、天板２は不使用位置のまま保持される。
【００４３】
尚、リンクバー２２における中央部２５は、前方側に膨出するように屈曲されているため、天板２の不使用位置にあるときに隙間部４１が形成される。これにより、使用者が天板２の左右側部に手を掛けて天板２の回動操作をする際に、天板２とリンクバー２２との間に指が挟まれることを防止できる。
【００４４】
このように、天板２を不使用位置にするとともに、左右の脚体３がハの字状に設けられているため、机１の前方側に向かって広がる空間ができる。そして、複数の机１に対して同様に回動操作を行うことで、一方の机１の前方側から他方の机１を前後方向にスタッキングできるようになる。
【００４５】
不使用位置から使用位置に回動させる際には、枢着軸２３を仮想線Ｖよりも下方に移動させる。本実施例では、棚板１６の前端部１７が下方に向かって曲折する形状をなす把持部となっているため、使用者は棚板１６の前端部１７に指を掛け、引き下げる操作を行うことで、枢着軸１１，１８，２３，２４を角部とする平行四節リンクが構成され、天板２を使用位置に簡単に戻せるようになっている。
【００４６】
そして、天板２と棚板１６が引き下げられると、天板２の下面のリンクバー枢支部材１４の嵌合部２９と脚体上端部６の固定板１０とが係合し、使用位置になるとともに、天板２と棚板１６が水平になる。
【００４７】
また、ロック部材１５は、被係合部３７がリンクバー枢支部材１４の突起部３１に係合して上方に引き上げられたまま保持されており、天板２を引き下げて使用位置まで移動させた後に、このロック部材１５の基片３３の下端部を内方向に引き下げると、基片３３の上端部４２（接触部）が突起部３１を乗り越えて突起部３１から被係合部３７が離脱される。そして、係合片３５がスリット孔４０に挿通されることで、ロック部材１５が脚体上端部６に係合されて、天板２が使用位置で回動不能に保持される（図１２参照）。
【００４８】
尚、棚板１６は、後脚５，５同士の間の左右幅と略同幅の横幅を有する矩形状をなしており、前脚４，４と棚板１６の前部との間に隙間が形成される。また、天板２は、天板支持部材１２及びリンクバー枢支部材１４の高さの分だけ、脚体上端部６よりも上方に位置しており、天板２と脚体上端部６との間に隙間が形成される。これらの隙間により、使用者が天板２に手を掛けて回動操作を行う際にも、棚板１６と脚体上端部６との間や、天板２と脚体上端部６との間に指が挟まれる虞がないようになっている。
【実施例２】
【００４９】
次に、実施例２に係る天板付き家具としての机につき、図１４を参照して説明する。前記実施例１に示される構成部分と同一構成部分に付いては同一符号を付して重複する説明を省略する。
【００５０】
図１４に示すように、使用者が荷物を掛けるためのフック９’は、ロック部材１５の基片３３の外側面に固着されている。これにより、フック９’を机１に別途取り付ける必要がなくなる。また、ロック部材１５の基片３３の形状を外側方に突出させる形状にして、荷物を掛けられるようにしてもよい。これにより、部材点数を低減させることができる。
【実施例３】
【００５１】
次に、実施例３に係る天板付き家具としての机につき、図１５を参照して説明する。尚、前記実施例１に示される構成部分と同一構成部分に付いては同一符号を付して重複する説明を省略する。
【００５２】
図１５に示すように、リンクバー枢支部材１４’は、外側の部位が下方に延びる形状をなしており、リンクバー枢支部材１４’の内側の部位の下端には、スライド溝４３が形成され、このスライド溝４３には、脚体上端部６側にスライド移動可能なプレート状の係合部材４４が設けられている。係合部材４４の下部には、使用者が係合部材４４をスライド移動させるために操作する操作部４５が形成されている。尚、係合部材４４は、合成樹脂等の弾性を有する材質で形成されている。
【００５３】
スライド溝４３の内側上面には、下方に突出する半球状の凸部４６が形成されているとともに、係合部材４４の上面には、凸部４６と係合する凹部４７，４７が内側と外側に２箇所に形成されている。
【００５４】
図１５に示すように、天板２は使用位置にあり、側板８のスリット孔４０に係合部材４４が挿設されることで、係合部材４４が脚体上端部６に係合され、天板２と脚体３が連結状態になっている。このとき、凸部４６と、外側の凹部４７とが係合しており、係合部材４４の係合状態が保持されている。
【００５５】
係合部材４４の係合状態を解除するには、使用者が操作部４５を外側に引くことにより、係合部材４４の外側の凹部４７が凸部４６から外れて、係合部材４４とスリット孔４０との係合が解除される。そして、左側の凹部４７が凸部４６と係合することで、係合部材４４の非係合状態を保持することができるようになっている。
【００５６】
内側の凹部４７と凸部４６とが係合しているときには、係合部材４４の内端部は、脚体上端部６よりも外側まで移動されているため、天板２を回動させる際に、係合部材４４が回動操作を妨げないようになっている。
【００５７】
尚、リンクバー枢支部材１４’にスライド溝４３を形成して、係合部材４４をスライド移動させているが、リンクバー枢支部材１４’とは別体の部材を天板２に取り付け、係合部材４４をスライド移動させるようにしてもよい。
【００５８】
以上、本実施例における机１では、天板支持部材１２の枢着軸１１よりも下方位置で脚体３に枢着されて前後方向に延びる棚板１６の前端部１７と、天板２の前端部に枢着されて上下方向に延びるリンクバー２２の枢着軸２３と、が互いに枢着されており、天板２が不使用位置にあるときに、棚板１６と脚体３との枢着軸１８と、リンクバー２２と天板２との枢着軸２４と、を結ぶ仮想線Ｖよりも、棚板１６とリンクバー２２との枢着点である枢着軸２３が上方位置になることで、天板２と脚体３と棚板１６とリンクバー２２とによって４つの枢着軸１１，１８，２３，２４を有する四節リンクが構成され、天板２が不使用位置にあるときに、棚板１６とリンクバー２２との枢着点である枢着軸２３が仮想線Ｖよりも上方位置になると、４つの枢着軸１１，１８，２３，２４の相対的な位置関係が安定的に固定されるため、このような簡素な構成により、天板２を不使用位置に保持する機能を容易に実現でき、かつ天板２を使用位置と不使用位置との間で回動させる際に、可動される部位が枢着軸１１，１８，２３，２４における部材同士の回動のみとなり、天板２を不使用位置に保持する機能の耐久性を向上できる。
【００５９】
また、天板支持部材１２の枢着軸１１は、脚体３の後部に設けられることで、天板２を不使用位置にする際に、天板２の前端部が押し上げられるよう回動されるため、机１の前方側にいる使用者は、机１の前方側で棚板１６及びリンクバー２２を目視しながら天板２の回動操作を行うことができ、机１の前方側で天板２の回動作業を行い易くなる。
【００６０】
また、リンクバー２２は、前方側に膨出するように屈曲されており、天板２が不使用位置にあるときに、リンクバー２２と天板２との間に隙間部４１が形成されることで、使用者が天板２の端縁に手を掛けて天板２を使用位置から不使用位置に回動させる際に、天板２とリンクバー２２との間に手を挟むことを防止できる。
【００６１】
また、本発明における第１リンク部材は、脚体３に枢着された左右広幅の棚板１６となっており、左右一対をなすリンクバー２２を、棚板１６の左右にそれぞれ枢着したことで、部材点数を低減させることができ、かつ左右一対のリンクバー２２の回動の同期が図られるようになり、リンクバー２２が枢着される棚板１６及び天板２の回動がスムーズに行われるようになる。
【００６２】
また、天板２を不使用位置に向かって付勢する付勢部材２０が設けられることで、使用者が使用位置から不使用位置に天板２を回動させる際に、天板２を持ち上げ易くなめ、使用者の負荷を少なくすることができる。
【００６３】
また、棚板１６の前端部１７は、前端部１７を下方に引くための把持部となっていることで、天板２が不使用位置にあるときに、使用者は前端部１７を下方に引くことで、仮想線Ｖの上方位置にある棚板１６とリンクバー２２との枢着点である枢着軸２３を引き下げることができ、天板２を不使用位置から使用位置に回動させる操作を容易に行うことができる。
【００６４】
以上、本発明の実施例を図面により説明してきたが、具体的な構成はこれら実施例に限られるものではなく、本発明の要旨を逸脱しない範囲における変更や追加があっても本発明に含まれる。
【００６５】
例えば、前記実施例では、天板２が後上方に回動されるようになっているが、枢着軸１１，１２を前方側に設け、かつ枢着軸２３，２４を後方側に設けることで、天板２が前上方に回動されるようにしてもよく、その場合には、天板２を前上方に回動させた際に、複数の机１を前後方向に積み重ねることができる。
【００６６】
また、前記実施例では、本発明における第１リンク部材を棚板１６としているが、第１リンク部材を棚板１６と別部材としてもよく、例えば、リンクバー２２と類似の左右一対の棒状の部材であってもよい。
【符号の説明】
【００６７】
１                机（天板付き家具）
２                天板
３                脚体
４                前脚（脚柱）
５                後脚（脚柱）
６                脚体上端部（水平杆）
１１              枢着軸（枢着点）
１２              天板支持部材
１３              天板枢支部材
１４，１４’      リンクバー枢支部材（位置固定手段，支持部材）
１５              ロック部材（位置固定手段，係合部材）
１６              棚板（第１リンク部材）
１７              前端部（遊端部，把持部）
１８              枢着軸（枢着点）
１９              棚板支持部材
２０              付勢部材（付勢手段）
２１              付勢部材
２２              リンクバー（第２リンク部材）
２３              枢着軸（遊端部，枢着点）
２４              枢着軸（枢着点）
３１              突起部（保持手段，保持部）
３７              被係合部（被保持部）
４１              隙間部
４２              上端部（接触部）
４４              係合部材
４６              凸部
４７              凹部
【図１】
0005391027.tif 000002
【図２】
0005391027.tif 000003
【図３】
0005391027.tif 000004
【図４】
0005391027.tif 000005
【図５】
0005391027.tif 000006
【図６】
0005391027.tif 000007
【図７】
0005391027.tif 000008
【図８】
0005391027.tif 000009
【図９】
0005391027.tif 000010
【図１０】
0005391027.tif 000011
【図１１】
0005391027.tif 000012
【図１２】
0005391027.tif 000013
【図１３】
0005391027.tif 000014
【図１４】
0005391027.tif 000015
【図１５】
0005391027.tif 000016